(57)【要約】【課題】タスクの所要時間だけでなくリソース状態を表示し、特にタスク処理量に大きな差がある場合にも所定表示範囲内に見やすく表示するリソース管理装置を提供する。【解決手段】リソース状態情報入力部１１では、複数のタスクを複数のリソースにより実行する場合に、個々のリソースの種類と最大処理量、タスクの開始時間、処理量、単位時間当り処理量で表される処理率などのリソース状態情報を入力して設定する。リソース状態情報処理部１３は、リソース状態表示部１２により個々のリソースの最大処理量を高さとするリソース欄を描画し、リソース欄上にタスクの処理を直角三角形で描画する。三角形の高さ方向の単位長さ当りの処理量を決定するための各リソース欄に対応した換算パラメータを入力する。表示部１２では、その換算パラメータに対応したリソース欄内に配置された三角形の高さをリソースの処理量と換算パラメータとにより決定して表示する。【選択図】　　　　図３
2004102905.tif 000002
【特許請求の範囲】
【請求項１】
複数のリソースがタスクを実行する状態をタイムチャートにより表現することで複数のリソースを管理するリソース管理装置であって、リソース毎にリソースの状態を求めるためのデータを入力する入力手段と、入力された前記データを用い、リソースの処理量を求め、さらに単位時間当りの前記処理量で表される前記リソースの処理率を求める処理手段と、各リソースに対し、リソースの処理量を一辺の長さで表し且つ該リソースの処理率を他の一辺の勾配で表した、タスクに対応する多角形を、リソース毎に区別された表示欄における時間軸上に配列して表示する表示手段と、を備えたことを特徴とするリソース管理装置。
【請求項２】
各表示欄に対応した換算パラメータであって、リソースの処理量を表す多角形の一辺と同じ方向の単位長さ当りの処理量を決定するための換算パラメータを入力する手段を有し、前記表示手段は、前記換算パラメータに対応した表示欄内に配置された、リソースの処理量を表す多角形の一辺の長さを、該リソースの処理量と前記換算パラメータとにより決定し、該決定された長さで表示することを特徴とする請求項１に記載のリソース管理装置。
【請求項３】
前記換算パラメータに対する表示倍率を入力する手段を有し、前記表示手段は、前記換算パラメータに対応した表示欄内に配置された、リソースの処理量を表す多角形の一辺の長さを、該リソースの処理量と前記換算パラメータと前記表示倍率とにより決定し、該決定された長さで表示することを特徴とする請求項２に記載のリソース管理装置。
【請求項４】
前記表示手段は、前記表示倍率が入力された場合に、前記表示倍率の値を表示することを特徴とする請求項３に記載のリソース管理装置。
【請求項５】
複数のリソースがタスクを実行する状態をタイムチャートにより表現することで複数のリソースを管理するリソース管理方法であって、リソース毎にリソースの状態を求めるためのデータを入力する入力ステップと、入力された前記データを用い、リソースの処理量を求め、さらに単位時間当りの前記処理量で表される前記リソースの処理率を求める処理ステップと、各リソースに対し、リソースの処理量を一辺の長さで表し且つ該リソースの処理率を他の一辺の勾配で表した、タスクに対応する多角形を、リソース毎に区別された表示欄における時間軸上に配列して表示する表示ステップと、を含むことを特徴とするリソース管理方法。
【請求項６】
前記入力ステップは、各表示欄に対応した換算パラメータであって、リソースの処理量を表す多角形の一辺と同じ方向の単位長さ当りの処理量を決定するための換算パラメータを入力するステップを有し、前記表示ステップは、前記換算パラメータに対応した表示欄内に配置された、リソースの処理量を表す多角形の一辺の長さを、該リソースの処理量と前記換算パラメータとにより決定し、該決定された長さで表示するステップを有することを特徴とする請求項５に記載のリソース管理方法。
【請求項７】
前記入力ステップは、前記換算パラメータに対する表示倍率を入力するステップを有し、前記表示ステップは、前記換算パラメータに対応した表示欄内に配置された、リソースの処理量を表す多角形の一辺の長さを、該リソースの処理量と前記換算パラメータと前記表示倍率とにより決定し、該決定された長さで表示するステップを有することを特徴とする請求項６に記載のリソース管理方法。
【請求項８】
前記表示ステップは、前記表示倍率が入力された場合に、前記表示倍率の値を表示することを特徴とする請求項７に記載のリソース管理方法。
【請求項９】
複数のリソースがタスクを実行する状態をタイムチャートにより表現することで複数のリソースを管理するリソース管理プログラムであって、コンピュータに、リソース毎にリソースの状態を求めるためのデータを入力する入力ステップと、入力された前記データを用い、リソースの処理量を求め、さらに単位時間当りの前記処理量で表される前記リソースの処理率を求める処理ステップと、各リソースに対し、リソースの処理量を一辺の長さで表し且つ該リソースの処理率を他の一辺の勾配で表した、タスクに対応する多角形を、リソース毎に区別された表示欄における時間軸上に配列して表示する表示ステップと、を実行させるためのリソース管理プログラム。
【請求項１０】
前記入力ステップは、各表示欄に対応した換算パラメータであって、リソースの処理量を表す多角形の一辺と同じ方向の単位長さ当りの処理量を決定するための換算パラメータを入力するステップを有し、前記表示ステップは、前記換算パラメータに対応した表示欄内に配置された、リソースの処理量を表す多角形の一辺の長さを、該リソースの処理量と前記換算パラメータとにより決定し、該決定された長さで表示するステップを有することを特徴とする請求項９に記載のリソース管理プログラム。
【請求項１１】
前記入力ステップは、前記換算パラメータに対する表示倍率を入力するステップを有し、前記表示ステップは、前記換算パラメータに対応した表示欄内に配置された、リソースの処理量を表す多角形の一辺の長さを、該リソースの処理量と前記換算パラメータと前記表示倍率とにより決定し、該決定された長さで表示するステップを有することを特徴とする請求項１０に記載のリソース管理プログラム。
【請求項１２】
前記表示ステップは、前記表示倍率が入力された場合に、前記表示倍率の値を表示するステップを有することを特徴とする請求項１１に記載のリソース管理プログラム。
【請求項１３】
請求項９乃至１２のいずれか１記載のリソース管理プログラムが記録されたコンピュータ読み取り可能な記録媒体。
【発明の詳細な説明】
【０００１】
【発明の属する技術分野】
本発明は、リソース管理装置、リソース管理方法、プログラム、及び記録媒体に関し、より詳細には、リソース管理用にリソースの状態を表現するリソース管理装置、リソース管理方法、プログラム、及び記録媒体に関する。本発明は、製造ラインの工程管理、画像処理システムの画像データ管理などのリソース管理に応用可能である。
【０００２】
【従来の技術】
従来から、製造ラインの工程管理や画像処理システムの画像データ管理などのリソース管理を行うために、様々なリソース管理装置（リソースマネージメントシステム）が提案されている。このリソース管理装置において用いられるリソースマネージメントの手法としては、ＰＥＲＴ図法やガントチャートを用いた管理方法が一般的に有名である。ＰＥＲＴ（Ｐｒｏｇｒａｍ　Ｅｖａｌｕａｔｉｏｎ　ａｎｄ　Ｒｅｖｉｅｗ　Ｔｅｃｈｎｉｑｕｅ）とは、プロジェクト全体と個々の作業の相互関係をアローダイアグラムを用いて表示し、重複作業の発見や重要性の判定、資源などの分担計画などを行い、時間やコストを考慮しながら計画の進行を統制する技法である（例えば、非特許文献１参照）。
【０００３】
ガントチャート（Ｇａｎｔｔ−ｃｈａｒｔ）を用いるリソース管理装置としては、ガントチャートを用い、それぞれのリソース（作業者や製造装置など）が行うタスクの進行状況を、リソースごとに設定されたカード状や板状のタスクバー（各タスクの実行期間などを表す）で時間軸上に配置し、タスク管理を行うものであった（例えば、特許文献１，２，３参照）。
【０００４】
例えば、作業行程などのタスクごとに開始時間，終了時間，所要期間を設定し、それらを図形化して時間軸上に並べて表示する。また、前のタスクが終了したら次のタスクへ進むといったタスク同士の依存関係があれば、グラフィック表示によりタスクバーをつないで依存関係を保つよう表示する。さらに、タスクバーの移動や長さの変更により、タスクの実行計画を修正して表示する。このようにして、リソース（作業者や製造装置など）が行うタスクを管理するようにしている。なお、ガントチャートを用いたリソース管理装置には、ガントチャートと等価な情報をテキストファイルに書き出し、読み込むツールなども既に提案されている。
【０００５】
【非特許文献１】
日経ＢＰ社出版局編，「日経ＢＰデジタル大事典　２００１−２００２年版」，第１版，日経ＢＰ社，１９９９年３月１０日，ｐ．７０８
【特許文献１】
特開平１０−１１８８９６号公報
【特許文献２】
特許第２９７３９３０号公報
【特許文献３】
特開平６−１９５３４５号公報
【０００６】
【発明が解決しようとする課題】
しかしながら、このような従来のリソース管理装置では、ＰＥＲＴ図法やガントチャートを用いてタスクの所要時間を表現していたために、タスクを処理するリソースの能力（効率）を表現できないという問題があった。具体的には、高性能の製造装置や熟練の作業者など、能力の高いリソースは、能力の低いリソースに比べ、同じタスクを速く処理することが可能であって、タスクの所要時間は短縮されることになる。ここで、前述した従来のリソース管理装置においては、リソースの能力とタスクの所要時間との因果関係、例えば「どれくらいの能力で処理するので、この所要時間か必要である」という情報を視覚的に表現できなかった。
【０００７】
また、前述した従来のリソース管理装置では、リソースの負荷をグラフィック表示する機能がないために、リソース管理者がグラフィック表示を目視してリソースの能力に余裕があるか否か、リソースの能力の限界に近いか否か、などを判断することは困難であった。
【０００８】
本発明は、上述のごとき実情に鑑みてなされたものであり、タスクの所要時間だけでなく、リソースの効率、仕事率などの能力、及びリソースの負荷を含むリソースの状態を表示することが可能な、リソース管理装置、リソース管理方法、リソース管理プログラム、及びそのプログラムを記録したコンピュータ読み取り可能な記録媒体を提供することをその目的とする。
【０００９】
また、本発明は、タスクの所要時間だけでなく、リソースの効率、仕事率などの能力、及びリソースの負荷を含むリソースの状態を表示することが可能で、特にタスク処理量に大きな差がある場合にも、定められた表示範囲内に見やすく表示をすることが可能な、リソース管理装置、リソース管理方法、リソース管理プログラム、及びそのプログラムを記録したコンピュータ読み取り可能な記録媒体を提供することをその目的とする。
【００１０】
【課題を解決するための手段】
請求項１の発明は、複数のリソースがタスクを実行する状態をタイムチャートにより表現することで複数のリソースを管理するリソース管理装置であって、リソース毎にリソースの状態を求めるためのデータを入力する入力手段と、入力された前記データを用い、リソースの処理量を求め、さらに単位時間当りの前記処理量で表される前記リソースの処理率を求める処理手段と、各リソースに対し、リソースの処理量を一辺の長さで表し且つ該リソースの処理率を他の一辺の勾配で表した、タスクに対応する多角形を、リソース毎に区別された表示欄における時間軸上に配列して表示する表示手段と、を備えたことを特徴としたものである。
【００１１】
請求項２の発明は、請求項１の発明において、各表示欄に対応した換算パラメータであって、リソースの処理量を表す多角形の一辺と同じ方向の単位長さ当りの処理量を決定するための換算パラメータを入力する手段を有し、前記表示手段は、前記換算パラメータに対応した表示欄内に配置された、リソースの処理量を表す多角形の一辺の長さを、該リソースの処理量と前記換算パラメータとにより決定し、該決定された長さで表示することを特徴としたものである。
【００１２】
請求項３の発明は、請求項２の発明において、前記換算パラメータに対する表示倍率を入力する手段を有し、前記表示手段は、前記換算パラメータに対応した表示欄内に配置された、リソースの処理量を表す多角形の一辺の長さを、該リソースの処理量と前記換算パラメータと前記表示倍率とにより決定し、該決定された長さで表示することを特徴としたものである。
【００１３】
請求項４の発明は、請求項３の発明において、前記表示手段は、前記表示倍率が入力された場合に、前記表示倍率の値を表示することを特徴としたものである。
【００１４】
請求項５の発明は、複数のリソースがタスクを実行する状態をタイムチャートにより表現することで複数のリソースを管理するリソース管理方法であって、リソース毎にリソースの状態を求めるためのデータを入力する入力ステップと、入力された前記データを用い、リソースの処理量を求め、さらに単位時間当りの前記処理量で表される前記リソースの処理率を求める処理ステップと、各リソースに対し、リソースの処理量を一辺の長さで表し且つ該リソースの処理率を他の一辺の勾配で表した、タスクに対応する多角形を、リソース毎に区別された表示欄における時間軸上に配列して表示する表示ステップと、を含むことを特徴としたものである。
【００１５】
請求項６の発明は、請求項５の発明において、前記入力ステップは、各表示欄に対応した換算パラメータであって、リソースの処理量を表す多角形の一辺と同じ方向の単位長さ当りの処理量を決定するための換算パラメータを入力するステップを有し、前記表示ステップは、前記換算パラメータに対応した表示欄内に配置された、リソースの処理量を表す多角形の一辺の長さを、該リソースの処理量と前記換算パラメータとにより決定し、該決定された長さで表示するステップを有することを特徴としたものである。
【００１６】
請求項７の発明は、請求項６の発明において、前記入力ステップは、前記換算パラメータに対する表示倍率を入力するステップを有し、前記表示ステップは、前記換算パラメータに対応した表示欄内に配置された、リソースの処理量を表す多角形の一辺の長さを、該リソースの処理量と前記換算パラメータと前記表示倍率とにより決定し、該決定された長さで表示するステップを有することを特徴としたものである。
【００１７】
請求項８の発明は、請求項７の発明において、前記表示ステップは、前記表示倍率が入力された場合に、前記表示倍率の値を表示することを特徴としたものである。
【００１８】
請求項９の発明は、複数のリソースがタスクを実行する状態をタイムチャートにより表現することで複数のリソースを管理するリソース管理プログラムであって、コンピュータに、リソース毎にリソースの状態を求めるためのデータを入力する入力ステップと、入力された前記データを用い、リソースの処理量を求め、さらに単位時間当りの前記処理量で表される前記リソースの処理率を求める処理ステップと、各リソースに対し、リソースの処理量を一辺の長さで表し且つ該リソースの処理率を他の一辺の勾配で表した、タスクに対応する多角形を、リソース毎に区別された表示欄における時間軸上に配列して表示する表示ステップと、を実行させるためのリソース管理プログラムである。
【００１９】
請求項１０の発明は、請求項９の発明において、前記入力ステップは、各表示欄に対応した換算パラメータであって、リソースの処理量を表す多角形の一辺と同じ方向の単位長さ当りの処理量を決定するための換算パラメータを入力するステップを有し、前記表示ステップは、前記換算パラメータに対応した表示欄内に配置された、リソースの処理量を表す多角形の一辺の長さを、該リソースの処理量と前記換算パラメータとにより決定し、該決定された長さで表示するステップを有することを特徴としたものである。
【００２０】
請求項１１の発明は、請求項１０の発明において、前記入力ステップは、前記換算パラメータに対する表示倍率を入力するステップを有し、前記表示ステップは、前記換算パラメータに対応した表示欄内に配置された、リソースの処理量を表す多角形の一辺の長さを、該リソースの処理量と前記換算パラメータと前記表示倍率とにより決定し、該決定された長さで表示するステップを有することを特徴としたものである。
【００２１】
請求項１２の発明は、請求項１１の発明において、前記表示ステップは、前記表示倍率が入力された場合に、前記表示倍率の値を表示するステップを有することを特徴としたものである。
【００２２】
請求項１３の発明は、請求項９乃至１２のいずれか１記載のリソース管理プログラムが記録されたコンピュータ読み取り可能な記録媒体である。
【００２３】
【発明の実施の形態】
図１は、本発明の一実施形態に係るリソース管理装置におけるリソース状態表現で用いる基本的表現要素の一例を説明するための図で、リソースの処理量及び処理率の表現例を示す図である。また、図２は、本発明の一実施形態に係るリソース管理装置におけるリソース状態表現方法の一例を説明するための図で、複数のリソースの状態を各リソースに対して長方形の枠線内に表現した例を示す図である。
【００２４】
本発明の一実施形態に係るリソース管理装置におけるリソース状態表現方法においては、タイムチャートの基本的表現要素として、三角形又は三角形に近い形を、図１に示すようなリソースの処理量及び処理率の表現を行うために用いている。
【００２５】
まず、三角形若しくは三角形に近い形の図形でリソースの処理状態（リソースがタスクを処理している状態）を表す方法について、図１における直角三角形１を例に挙げて説明する。図１はリソースが「ある一つのタスクを処理する」という状態を表したものであり、横軸Ｘは時間軸である。処理率は、横軸Ｘに沿った直角三角形１の底辺とその斜辺とでなる内角の角度（直角でない方の角であり鋭角となる）θ１で表し、これは単位時間当りの処理量Ｈ１の変化量に対応している。処理量は、処理率を表す角θ１に対向する辺の長さ（直角三角形１の高さ）Ｈ１によって表す。したがって、処理時間は斜辺でないもう一方の辺（直角三角形１の底辺）の長さＬ１によって表すことになる。以上により、リソースが処理率θ１で処理量Ｈ１のタスクの処理を処理時間Ｌ１で行うことを、直角三角形で表現することができる。
【００２６】
次に、図１で説明したタイムチャートの基本的表現要素を用いて、長方形若しくは長方形に近い図形内又は枠線内などの表示欄内にリソースの状態を表す方法について、図２における長方形の枠線２１（２２）を参照して説明する。図２では、複数の三角形を時間軸上に並べ、リソース欄に配置した例を示している。ここでは、あるリソース１（２）がタスクＷ１１，Ｗ１２，Ｗ１３，Ｗ１４（Ｗ２１，Ｗ２２，Ｗ２３，Ｗ２４）を処理するという状態を説明する。横軸は時間軸である。長方形の枠線２１（２２）の高さ（縦方向の辺の長さ）でリソースの処理できる最大処理量を表すようにしてもよい。また、底辺の長さで全体の処理時間を表すようにしてもよい。図２に示すように、リソース１（２）がタスクＷ１１，タスクＷ１２，タスクＷ１３，タスクＷ１４（タスクＷ２１，Ｗ２２，Ｗ２３，Ｗ２４）を順に（時系列に）処理していく状態を、長方形の枠線２１（２２）の底辺上に配置された各タスクに対応する三角形によって表現する。なお、状態保持を表現するために矩形を用いたり、タスク処理・状態保持を表現するために台形を用いて、同様にリソースを示す長方形の底辺上に時系列に配置することによって、タスクの状態を表現するようにしてもよい。ここでは説明の簡略化のため、三角形のみを用いた説明とする。
【００２７】
また、図２に示すように、これらの表示欄（リソース欄）を並べて表示することで、どのリソースがどのタスクを処理しているかを表現でき、リソース欄によってリソースの種類を区別して表すことができる。この例では、リソース１がタスクＷ１１，Ｗ１２，Ｗ１３，Ｗ１４を処理し、リソース２がタスクＷ２１，Ｗ２２，Ｗ２３，Ｗ２４を処理する、ということを、リソース１に対応するリソース欄１（枠線２１）上にタスクＷ１１，Ｗ１２，Ｗ１３，Ｗ１４を描き、リソース２に対応するリソース欄２（枠線２２）上にタスクＷ２１，Ｗ２２，Ｗ２３，Ｗ２４を描くことで、それぞれのタスクがどのリソースで処理されているかを表現することが可能となる。
【００２８】
なお、本明細書中で説明する、基本的表現要素を用いてリソースの状態を表現した結果としてのリソース状態表現プロダクトには、例えば、コンピュータのディスプレイ画面上に表示したリソース状態表現図やその表示用データ、さらにはネットワークを介して伝送する表示用データ（又は印刷用データ）など、様々な形態があり、全ての形態がそれぞれ本発明の実施形態に相当する。
【００２９】
図３は、本発明の一実施形態に係るリソース管理装置の一構成例を示す図である。
本発明の一実施形態に係るリソース管理装置は、入力手段と処理手段と表示手段を少なくとも備え、複数のリソースがタスクを実行する状態をタイムチャートにより表現することで複数のリソースを管理する。入力手段では、所定のタスクを処理するリソースごとの処理状態を求めるためのデータを入力する。また、処理手段では、入力されたデータを用い、リソースの処理量を求め、さらに単位時間当りの前記処理量で表されるリソースの処理率を求める。また、表示手段では、リソースの処理量を一辺の長さで表し且つリソースの処理率を一辺の勾配で表した多角形を、時間軸上に配列し、さらにそれらの多角形をリソース毎に区別された表示欄内（図形内、又はリソース欄内）に配置して表示する。すなわち、タスクに対応する多角形を、リソース毎に区別された表示欄における時間軸上に配列することで、各リソースに対応する多角形を各リソースに対応する表示欄に配置して表示する。以下、本発明の一実施形態に係るリソース管理装置を、その一構成例としての、リソース状態情報入力部１１，リソース状態表示部１２，リソース状態情報処理部１３，リソース状態情報記憶部１４，インターフェース部（Ｉ／Ｆ部）１５を備えたリソース管理装置１０で説明する。
【００３０】
リソース状態情報入力部１１は、個々のリソースの種類とそのリソースの最大処理量、個々のリソースによるタスクの処理量、処理時間、単位時間当りの前記処理量で表される処理率、リソースの状態を保持する時間、及び、タスク間の相関関係などの情報を入力して設定するものであり、上述の入力手段に対応するものである。また、リソース状態情報入力部１１は、既に設定された情報に対する更新要求を受け付け、更新情報を入力して設定するものである。
【００３１】
リソース状態情報処理部１３は、上述の処理手段に対応するものであり、予め記憶されたリソース管理プログラムにより、本実施形態のリソース管理機能の主要部分を実現するものである。リソース状態情報処理部１３は、リソース状態情報入力部１１により入力された情報、或いはインタフェース部１５から受信入力された情報を用いて、個々のリソースの種類と最大処理量、個々のリソースによるタスクの処理量、処理時間、単位時間当りの前記処理量で表される処理率、及び、リソースの状態を保持する時間、タスク間の相関関係を示す値を求め、さらに求めた値によりリソース状態を図形化して表示するための図形データを生成してリソース状態表示部１２へ渡すものである。
【００３２】
リソース状態表示部１２は、上述の表示手段に対応するものであり、リソース状態情報処理部１３より取得したタイムチャートを表示するものである。すなわち、リソース状態表示部１２は、リソースの種類に対応する長方形の枠線、リソースごとに同期して並列に配置された時間軸上に時系列に配置された直角三角形と長方形（及びそれら直角三角形と長方形によって形成される台形）により、リソースの処理状態（及び状態保持）の経過を表示するものである。
【００３３】
リソース状態情報記憶部１４は、リソース状態情報入力部１１により入力されたリソースの種類と最大処理量、リソースの処理量、処理時間、処理率、前記リソースの状態を保持する時間などの情報、これらの情報が図形表現されていたタイムチャートによるリソース状態の情報を記憶するものである。
【００３４】
インタフェース部１５は、他の通信装置（他のリソース管理装置、シミュレーション装置を含む）とのインタフェースをとり、リソース状態を含む各種情報を遣り取りするためのものである。
【００３５】
図４は、図３のリソース管理装置における処理手順の一例を説明するための図であり、本発明の他の実施形態に係るリソース管理プログラム或いはリソース管理方法における処理手順の一例を説明するための図でもある。
本発明の他の実施形態に係るリソース管理プログラム又はリソース管理方法においては、以下に示すステップＳ１〜Ｓ３をＣＰＵ等の演算装置に実行させ、上述のごときタイムチャートを表示してリソース状態を表現するためのプログラム又は方法であり、図３のリソース管理装置はこのリソース管理プログラムを備えるか、或いはステップＳ１〜Ｓ３に示す処理手順を実行可能なハードモジュールによりなるか、或いはプログラムとハードモジュールの組み合わせによりなる。
【００３６】
まず、リソース状態情報入力部１１は、複数のタスクを複数のリソースにより実行する場合に、個々のリソースの種類と最大処理量、個々のリソースによるタスクの開始時間、処理量、単位時間当りの前記処理量で表される処理率、及び、それらリソースの状態を保持する時間などのリソース状態情報を入力して設定する（ステップＳ１）。次に、リソース状態情報処理部１３は、リソース状態情報入力部１１で入力された情報から処理量，処理時間，処理率，リソース状態の保持時間などのリソース状態情報を求め、これを加工して図形データを生成することで図形データの取得を行う（ステップＳ２，Ｓ３）。
【００３７】
なお、ステップＳ２，Ｓ３において、リソース状態表示部１２は、前述の図形表現されたリソース処理状態により、個々のリソースの種類ごとの長方形の枠線、リソースごとに同期して並列に配置された時間軸上に時系列に配置された直角三角形と長方形（及びそれら直角三角形と長方形によって形成される台形）により、リソースの処理状態（及び処理状態の保持）の経過をタイムチャートとして表示する。また、実際には、リソース状態情報入力部１１は、先に入力（Ｉ／Ｆ部１５を介したものも含む）及び設定されたリソース状態の情報に対する更新要求が入力されたか否かを判断し、更新要求があった場合にはステップＳ１に戻る。
【００３８】
なお、ステップＳ２，Ｓ３におけるタイムチャートの表示では、まず、リソース状態表示部１２により、個々のリソースの最大処理量を高さとするリソース欄（ここでは長方形の枠線）を描画する（ステップＳ２）。次に、リソース欄上にタスクの処理を直角三角形で描画する（ステップＳ３）。ステップＳ３においては、直角三角形によってタスクの処理量及び処理率を表すが、この際、直角三角形の高さによって処理量を表し、直角三角形の底辺によって処理時間を表し、直角三角形の底辺と斜辺のなす角によって処理率を表すようにする。また、リソース欄上にタスクの状態保持を矩形で描画する場合には、直角三角形と同一高さの長方形の一辺と、直角三角形の底辺と垂直な辺とが接している長方形によって、リソース状態が保持されていることを表すようにするとよい。さらに、タスク間の相関関係を描画する場合には、描画した図形間を結ぶ線（矢印が好ましい）として描画するとよい。
【００３９】
なお、本明細書中では、図２で説明したように長方形の枠線の高さで最大処理量を表すものとして例示するが、枠線又は図形（リソース欄）内に別途、最大処理量を指す目盛りや線などを表示するなどして、それに応じた表示処理を行ってもよいことは言及するまでもない。さらに、横軸に関しても、あるリソースの全体の処理時間としてもよいが、表示領域の制限と視覚的限界とにより、タスク全体が表示しきれない場合もあるので、スクロール機能を持たせた形態を採用してもよい。また、図２の説明で上述したように、リソース毎にリソース欄の高さ及び／又は幅を異ならしてもよいが、表示の見易さを鑑みると全てのリソースに対していずれも統一する方が好ましく、その場合、各リソース欄には各リソースに対応する最大処理量を示す目盛りや線などを表示しておくことが好ましい（表示の際には少なくとも最大処理量のデータは必要である）。
【００４０】
また、本発明に係るリソース状態表現では、タスクの進行に応じて表示の変更を行なってもよく、現在実行中であることを示すように処理の進行に応じて表示を強調するタスクをずらしていく形態も考えられる。すなわち、所定のタスクを表示し、その強調個所を処理の進行に応じて変更するようにしてもよいし、また、リソースが所定のタスクを繰り返すことを実行するのであれば、強調箇所の変更を繰り返すようにしてもよい。また、横軸の表示に関し、タスク全体が表示しきれない場合には、現在実行中であるタスクを表示するように、表示するタスクをずらしていってもよい。
【００４１】
以上のように、本発明の一実施形態に係るリソース管理装置は、複数のタスクを複数のリソースにより実行する場合に、個々のリソースの種類と最大処理量、個々のリソースによるタスクの処理量、単位時間当りの前記処理量で表される処理率、及び、リソースの状態を保持する時間、並びに個々のタスク間の相関を含む情報を取得する入力手段（リソース状態情報取得手段ともいえる）としての、リソース状態情報入力部１１及びリソース状態情報処理部１３と、リソース状態情報入力部１１及びリソース状態情報処理部１３で取得された情報により、リソースの種類に対応した長方形の枠線と、リソースごとに同期してリソースごとに並列に配置された、時間軸上に時系列に配置された直角三角形と長方形（及びそれら直角三角形と長方形を含む台形）により、リソースの処理状態（及び状態保持）の経過を表示するタイムチャート表示手段（リソース状態表示手段ともいえる）及びそのタイムチャートを編集するタイムチャート編集手段としての、リソース状態表示部１２及びリソース状態情報処理部１３と、を設けるものとする。本実施形態によれば、タスクの所要時間だけでなく、リソースの効率、仕事率などの能力及びリソースの負荷を含むリソース処理状態を図形表現により表示することができる。
【００４２】
図５は、本発明の一実施形態に係るリソース管理装置の他の構成例を示すブロック図であり、上述のリソース管理プログラムを格納し実行させることが可能な一般的な情報処理装置の一例を示す図でもある。
図５で示す構成例は、図３で説明した構成例とは、ネットワークと接続可能なコンピュータ装置によってリソース管理装置を構成した点が相違している。この構成によれば、ネットワークを介してリソース管理プログラムやリソース処理状態の情報等を配布し、或いはネットワーク上のサーバなどに蓄積できるという効果も得られる。
【００４３】
図５において、リソース管理装置（ここでは、コンピュータ装置）２０には、各装置２１，２２，２４，２５，２６，２７を制御する機能を有する中央処理ユニット（以下、ＣＰＵともいう）２３と、ＲＯＭやＲＡＭ等で構成され、ＣＰＵ２３のプログラムを記憶するとともに、このプログラムがＣＰＵ２３によって実行されるときに一時的に作成される情報等を保持するためのメモリ２４と、ハードディスク，リムーバブルハードディスク等で構成され、管理対象のリソースの管理情報、テキスト形式又は図形表現形式のリソース処理状態情報、及び、プログラムやプログラム実行時の一時的な情報等を記憶する記憶装置２５と、キーボード、マウス、タッチパネル、スキャナ等で検索条件や指示等の情報入力に用いられる入力装置２１と、ＣＲＴ，液晶ディスプレイ（ＬＣＤ），プラズマディスプレイパネル（ＰＤＰ）等で構成され、入力装置２１から入力され、或いはネットワーク接続装置２７を介して入力されたリソース処理状態情報等をテキスト又は図形によって表示する表示装置２２と、プログラムやデータ等を記録した記録媒体を装着して読み込み、メモリ２４又は記憶装置２５へ格納するのに用いられる媒体駆動装置２６と、本実施形態のリソース管理装置をネットワークへ接続するためのインタフェースであり、このネットワークを介して他のリソース管理装置又はサーバと信号及びデータを遣り取りするためのネットワーク接続装置２７と、前述した装置間を接続するバス２８とを備えている。ここでは、入力装置２１，ＣＰＵ２３，ネットワーク接続装置２７などがリソース状態情報取得手段に含まれ、表示装置２２，ＣＰＵ２３などがリソース状態表示手段に含まれ、ＣＰＵ２３などがリソース状態情報変換手段に含まれている。
【００４４】
なお、上述したネットワークは、本実施形態のリソース管理装置と他のリソース管理装置又はサーバとを結合するための伝送路であって、一般には、ケーブルで実現され、通信プロトコルには例えばＴＣＰ／ＩＰが使われる。但し、伝送路としてはケーブルだけでなく、それらの間の通信プロトコルが一致するものであれば無線，有線，放送波のいずれでもよく、例えば、構内網（ＬＡＮ），広域網（ＷＡＮ），インターネット，アナログ電話網，ディジタル電話網（ＩＳＤＮ），パーソナルハンディホンシステム（ＰＨＳ），携帯電話網，衛星通信網等を用いることができる。
【００４５】
さらに、上述した記録媒体としては、半導体媒体（例えば、ＲＯＭ，ＩＣメモリカード等）、光媒体（例えば、ＣＤ−ＲＯＭ，ディジタル・バーサタイル・ディスク（ＤＶＤ）、光磁気ディスク（ＭＯ）、ミニディスク（ＭＤ）、書き込み可能なＣＤ（ＣＤ−Ｒ）等）、磁気媒体（例えば、磁気テープ，ＦＤ等）のいずれであってもよい。
【００４６】
また、上述の記録媒体からインストールされたプログラム、換言すれば、上述の記録媒体に記憶されたプログラムとしては、本実施形態のリソース管理機能を実現するために用いられるリソース管理プログラムがある。ここでは、リソース管理プログラムを予めＣＤ−ＲＯＭ等の記録媒体に書き込んでおき、このＣＤ−ＲＯＭ等を媒体駆動装置２６を搭載したコンピュータ装置に装着して、このリソース管理プログラムをそのコンピュータ装置のメモリ２４或いは記憶装置２５に格納し、ＣＰＵ２３により実行することによって、本実施形態のリソース管理機能を実現するものである。さらに、リソース管理プログラムがＲＯＭ等のような半導体の記録媒体に記録されている場合には、媒体駆動装置２６からではなく、直接、メモリ２４ヘロードして実行されることとなる。
【００４７】
なお、メモリ２４へロードしたリソース管理プログラムを実行することにより、本実施形態のリソース管理機能が実現されるだけでなく、リソース管理プログラムの指示に基づき、オペレーティングシステム等が実際の処理の一部又は全部を行い、その処理によって本実施形態のリソース管理機能が実現されるようにしてもよい。また、ネットワーク接続装置２７によりネットワーク上の所定のサーバと接続し、このサーバからリソース管理プログラムをメモリ２４や記憶装置２５にインストールしてもよい。
【００４８】
本構成例に係る、リソース管理装置における処理手順、リソース管理方法及びリソース管理プログラムは、図３等で上述した構成例と概ね同様であるために、図４を再度参照してその概略のみを説明する。図５の構成例を用いた本発明の他の実施形態に係るリソース管理プログラム又はリソース管理方法においては、以下に示すステップＳ１〜Ｓ３をＣＰＵ等の演算装置に実行させ、図１及び図２で説明したようなタイムチャートを表示してリソース状態を表現するためのプログラム又は方法であり、図５のリソース管理装置はこのリソース管理プログラムを備えることによりなる。
【００４９】
まず、ＣＰＵ２３は、複数のタスクを複数のリソースにより処理する場合に、入力装置２１により、個々のリソースの種類と最大処理量、個々のリソースによるタスクの処理量、処理時間、単位時間当りの前記処理量で表される処理率（及びリソースの状態を保持する時間）の情報などを入力させて設定させる（ステップＳ１）。次に、ＣＰＵ２３は、入力装置２１で入力された情報から処理量，処理時間，処理率（，リソース状態の保持時間）などのリソース状態情報を求め、これを加工して図形データを生成することで図形データの取得を行う（ステップＳ２，Ｓ３）。
【００５０】
なお、ステップＳ２〜Ｓ３においては、表示装置２２は、前述の図形表現されたリソース状態により、個々のリソースの種類ごとの長方形の枠線、リソースごとに同期して並列に配置された時間軸上に時系列に配置された直角三角形と長方形（及びそれら直角三角形と長方形によって形成される台形）により、リソースの処理状態（及び処理状態の保持）の経過をタイムチャートとして表示する。また、実際には、入力装置２１（或いはＣＰＵ２３）において、先に入力（ネットワーク接続装置２７を介したものも含む）及び設定されたリソース状態の情報に対する更新要求が入力されたか否かを判断し、更新要求があった場合にはステップＳ１に戻る。
【００５１】
まず、表示装置２２により、個々のリソースの最大処理量を高さとするリソース欄（ここでは長方形の枠線）を描画する（ステップＳ２）。次に、リソース欄上にタスクの処理を直角三角形で描画する（ステップＳ３）。ステップＳ３における処理は図３における説明で上述した通りである。
【００５２】
上述のごとく、本発明のリソース管理機能により、タスクの所要時間だけでなく、リソースの処理能力を表現できるので、従来のガントチャートなどに比べてリソースの状態を把握し易いこととなる。また、この構成により、リソースの負荷が表現されるので、リソースの能力に比べて、余裕があるのか、それとも限界に近いのかなどを、図形表現から読み取れることとなる。
【００５３】
また、本発明のリソース管理プログラムを記録した、コンピュータ読み取り可能な記録媒体は、これをもって、複数のユーザに対して本発明に係るリソース管理プログラムを配布し、個々のユーザの使用するコンピュータにリソース管理プログラムをインストールし、実行させることを容易に実現することができるようになる。
【００５４】
上述のごとく、図１のような三角形若しくは三角形に近い形の図形で、リソースの処理状態を表すこと、また、図２に示すように、複数の三角形を時間軸上に並べるとともに、それらの三角形をリソース毎に区別された図形内（リソース欄）に配置することで、それぞれのリソースに区別をつけその処理状態を表現できるとともに、以下に示す本発明の他の実施形態に係るリソース管理装置における表現方法（リソース欄ごとの表現方法の変更）が実現可能となる。
【００５５】
図６は、本発明の他の実施形態に係るリソース管理装置におけるリソース状態表現方法の一例を説明するための図である。単位長さ当りの処理量換算パラメータ値を変更した例を示す図である。
本発明の他の実施形態に係るリソース管理装置の基本的な装置構成は、上述したリソース管理装置と同様であるが、その表現方法（すなわち表現方法に係わる構成要素）が異なる。本実施形態に係るリソース管理装置は、リソース欄ごとに表現方法を変更することを可能とした装置であり、簡略化のため、上述したリソース管理装置と異なる点のみを説明する。
【００５６】
本実施形態に係るリソース管理装置は、上述の入力手段或いは他の手段として、換算パラメータ入力手段を備えるものとする。この換算パラメータ入力手段では、各リソース欄に対応した換算パラメータであって、リソースの処理量を表す多角形の一辺と同じ方向の単位長さ当りの処理量を決定するための換算パラメータを入力する。ここで入力された換算パラメータに基づいて、リソース状態表示部１２（表示手段）では、その換算パラメータに対応したリソース欄内に配置された、リソースの処理量を表す多角形の一辺の長さ（図６では三角形の高さ）を、そのリソースの処理量とその換算パラメータとにより決定し、決定された長さでタイムチャート（の対応するリソース欄）を表示する。
【００５７】
図６に、リソースのタスク処理量を８（単位は任意）、リソース欄の高さを１０ｍｍ、単位長さ当りのリソースの処理量に換算パラメータ値を１ｍｍ当り１とした場合のリソース欄３（タスクＷ３に対応）と、１ｍｍ当り２とした場合のリソース欄３′（タスクＷ′３に対応）を示す。このように、入力された換算パラメータに基づいてリソース欄に表示する単位長さ当りの処理量を変更し、タスク処理量をその単位で表示することが可能となる。
【００５８】
図７は、本発明の他の実施形態に係るリソース管理装置におけるリソース状態表現方法の一例を説明するための図である。
本発明の他の実施形態に係るリソース管理装置として、図６で説明した装置において、換算パラメータに対する表示倍率を変更可能としてもよい。図７においては、図２で説明したように複数のリソース欄を同時に表示した好適な例を示す。複数のリソース欄がある場合には、各々のリソース欄が、各々単位長さ当りのリソースの処理量に換算するパラメータを有し、そのパラメータに従い、リソースの処理量を表す多角形の一辺の長さが、各々決定されるが、リソースによって処理量に大きな違いがあると見づらくなることがあるが、表示倍率を変更することで見づらさを解消できる。
【００５９】
本実施形態では、各リソース欄に対応し、換算パラメータに対する表示倍率を入力する手段を備えるものとする。ここで入力された表示倍率に基づいて、リソース欄の表示倍率を変更することが可能となる。表示手段では、換算パラメータに対応したリソース欄４１，４２内に配置された、リソースの処理量を表す多角形（タスクＷ４１，Ｗ４２に対応）の一辺の長さ（図７では三角形の高さ）を、そのリソースの処理量と換算パラメータと表示倍率とにより決定し、そこで決定された長さで表示する。図７では、リソース欄４１の高さを１０ｍｍ、リソース１のタスク処理量を８、単位長さ当り処理量の換算パラメータ値を１ｍｍ当り１とし、リソース欄４２の高さを１０ｍｍ、リソース２のタスク処理量を４、単位長さ当り処理量の換算するパラメータ値を１ｍｍ当り０．５とした場合の例を示す。また、他の形態として、表示手段において、表示倍率が入力された場合に、その表示倍率の値をリソース欄に表示するようにしてもよい。
【００６０】
図８は、本発明の他の実施形態に係るリソース管理装置におけるリソース状態表現方法の一例を説明するための図である。
本発明の他の実施形態として、デフォルト値に対して表示倍率をかけて表示させてもよい。すなわち、換算パラメータが設定されていない場合にも、表示手段において、表示倍率が入力された場合に、その表示倍率の値をリソース欄に表示するようにしてもよい。
【００６１】
図８では、リソース欄５１の高さを１０ｍｍ、リソース１のタスク処理量を８、単位長さ当りのリソースの処理量に換算パラメータ値をデフォルト値の１ｍｍ当り１、表示倍率を１倍とし、リソース欄５２の高さを１０ｍｍ、リソース２のタスク処理量を４、単位長さ当りのリソースの処理量に換算パラメータ値をデフォルト値の１ｍｍ当り１、表示倍率を０．５（１ｍｍ当り２に相当）とした場合の例を示す。
【００６２】
（実施例）
以下に、２次記憶手段としてＨＤＤ（ハードディスクドライブ）を有するデジタル複写機における画像データ転送の様子を表現した場合の具体的な実施例を示す。
【００６３】
図９は、ＨＤＤを有するデジタル複写機のリソース構成を示す図である。
図９で例示するリソース構成は、２次記憶手段としてＨＤＤ（ハードディスクドライブ）３２を有するデジタル複写機に対するものであり、各々、原稿３１を読み取りデジタル画像データを出力するＣＣＤスキャナユニット３４、１次記憶手段としてのＤＲＡＭ（半導体メモリ）を用いた画像メモリ３５、２次記憶手段としてのＨＤＤ３２、デジタル画像データを用いて複写画像３３を形成するレーザービームプリンタエンジン３６、及びそれらの制御手段３７と画像データの各転送経路で構成される。図９のようなＨＤＤ３２を有するデジタル複写機では、原稿読み取り（スキャン）から画像データ記憶までの動作と、画像データ呼び出しから画像形成（複写・プリント）までの動作を独立させ、例えば、プリント中に別の原稿を読み取ることも可能となる。さらにＨＤＤ３２を２台搭載したり、ＨＤＤの読み書きタイミング制御をうまく行うことで、速度低下のない高速な動作を実現することも可能である。
【００６４】
図１０は、図９のデジタル複写機における画像データの流れを示す図である。上述のデジタル複写機における画像データの流れは、まず、原稿３１をスキャナユニット３４でスキャンする（ステップＳ１）。そして、ステップＳ２にてスキャナユニット３４から画像メモリ３５への画像データ転送、ステップＳ３にて画像メモリ３５からＨＤＤ３２への画像データ転送、ステップＳ４にてＨＤＤ３２から画像メモリ３５への画像データ転送、ステップＳ５にて画像メモリ３５からプリンタエンジン３６への画像データ転送がなされる。最後にプリンタエンジン３６から複写原稿３３としてプリントされる（ステップＳ６）。ステップＳ１〜Ｓ３は画像記憶動作に相当し、ステップＳ４〜Ｓ６は画像形成動作に相当するが、ステップＳ３，Ｓ４を省略して複写動作を行うことも可能である。
【００６５】
図１１は、図９のデジタル複写機を用いて４ページのＡ４原稿を３部ずつ複写する場合のタイミングチャートの一例を示す図である。
図１１には、図１０におけるステップＳ２〜Ｓ５までの画像データの流れと、メモリバスの使用度合い（ステップＳ２〜Ｓ５の合計）について、横軸を時間軸として表現している。なお、取扱うデータ量の基本単位を原稿１枚分の画像データ量としているため、三角形１個で１枚分の画像データの処理（転送）を表現している。ここでは、スキャナから画像メモリへの転送速度と画像メモリからプリンタエンジンへの転送速度をともに１０メガバイト毎秒、画像メモリとＨＤＤ間のデータ転送速度を２０メガバイト毎秒とした。Ａ４原稿１枚分の画像データ量を１０メガバイトとした場合、この例では、スキャン及びプリントは毎ページを１秒で処理可能であることがわかる。
【００６６】
以下に、図１１のタイミングチャートの詳細を説明する。
＜Ｓ２＞は、スキャナユニットから画像メモリへの画像データ転送を表す。時刻０秒での１ページ目のスキャン開始と同時に、スキャナユニットから画像メモリへの画像データ転送が開始され、１秒間、画像データ転送が続く。スキャンが終了し、１ページ目の画像データ全てが画像メモリに転送された後、１．０〜１．５秒で１ページ目の画像データがＨＤＤに転送されるとともにプリント動作が開始され、３部のプリントが終了する４．０秒までプリント動作が続く。スキャナユニットから画像メモリへの画像データ転送は、１．５秒で２ページ目、３．０秒で３ページ目、４．５秒で４ページ目の画像データ転送が開始され、各々１秒間の画像データ転送が行われる。
【００６７】
＜Ｓ３＞は、画像メモリからＨＤＤへの画像データ転送を表す。各ページのスキャン終了直後より、画像メモリからＨＤＤへの画像データ転送が開始される。１ページ目は１．０〜１．５秒、２ページ目は２．５〜３．０秒、３ページ目は４．０〜４．５秒、４ページ目は５．５〜６．０秒に各々画像データ転送処理される。
【００６８】
＜Ｓ４＞は、ＨＤＤから画像メモリへの画像データ転送を表す。１ページ目は、スキャナユニットから画像メモリへの画像データ転送が行われた後、プリント処理を連続して行うため、画像データは画像メモリに残っており、ＨＤＤから画像メモリへの画像データ転送は行われない。２ページ目から４ページ目までは、各プリント動作開始の直前に、ＨＤＤから画像メモリへの画像データ転送が行われる。２ページ目は３．５〜４．０秒、３ページ目は６．５〜７．０秒、４ページ目は９．５〜１０．０秒に各々画像データ転送処理される。
【００６９】
＜Ｓ５＞は、画像メモリからプリンタエンジンへの画像データ転送を表す。プリンタエンジンにはページメモリがないため、各プリント動作に対応して毎回プリンタエンジンへの画像データ転送が必要になる。図１１では、１．０〜２．０秒に１ページ目第１部、２．０〜３．０秒に第２部、３．０〜４．０秒に第３部のプリンタエンジンへの画像データ転送が行われる。さらに連続して、２ページ目以降も１秒毎に１部ずつの画像データ転送が行われる。プリンタエンジンでは、レーザー書き込み・現像・紙搬送などの動作が必要となるため、画像メモリからプリンタエンジンへの画像データ転送から遅れてプリント処理が行われ、この時間は、プリンタエンジンの内部構成や両面・集約などの処理により様々に変化する。
【００７０】
図１１で明らかなように、本実施例のような動作により４ページの原稿を３部づつ複写する場合、スキャンとプリントは全て単位サイクルで処理可能であること、プリント開始はスキャン終了直後から可能であること、メモリバスの転送レートは４０メガバイト毎秒以上必要であること等が、わかりやすく表現されている。
【００７１】
図１２は、図１１の各リソースに関する三角形をリソース欄内に表示した場合のタイミングチャートの一例を示す図で、図１３は、図１２における４ページ目の原稿のみがＡ４からＡ６にサイズ変更された場合のタイミングチャートの一例を示す図である。原稿サイズがＡ４からＡ６になると、画像データ量は１／４になるので、１０メガバイトから２．５メガバイトに減少し、タイミングチャートの例３では、４ページ目のタスク処理を表す三角形が見にくくなってしまう。転送レートは同じであるので、転送時間は縮小するが、メモリバス使用度はそれほど見づらくなることはない。
【００７２】
上述のような問題を解決するために、図１４及び図１５のようなタイミングチャートで表現するとよい。図１４は、図１３において４ページ目（Ａ６サイズ）のみ別のリソース欄に表現したタイミングチャートの一例を示す図で、図１５は、図１４において縦方向（データ量に相当）の倍率を４倍した場合のタイミングチャートの一例を示す図である。
【００７３】
実施例では、一部のサイズが変更された場合の例を示すが、デフォルトをＡ４サイズとした図１２を用意しておいた場合に、小さくてみにくくなったり、大きくてリソース欄からはみだしたりするような、異なるサイズの原稿を処理する場合の表示についても、表示倍率を変更することで、見やすい表示が得られる。
【００７４】
なお、図１１〜図１５の実施例では、原稿１枚を１単位として考えたが、画像データの取り扱い単位は、ライン，ブロック，画素等、様々な単位での取り扱いが可能である。
【００７５】
【発明の効果】
本発明によれば、リソースの処理量を多角形の一辺の長さで表し、且つ前記リソースの処理率を前記多角形の一辺の勾配で表し、このような多角形を時間軸上に配列し、さらにリソースの負荷を、長方形を重畳させた図形で表し、このような図形を時間軸上に配列することにより、タスクの所要時間だけでなく、リソースの効率、仕事率などの能力、及びリソースの負荷を含むリソースの処理状態を表示することができる。
【００７６】
また、本発明によれば、特にタスクの処理量に大きな差がある場合にも、定められた表示範囲内に見やすく表示をすることが可能となる。
【図面の簡単な説明】
【図１】図１は、本発明の一実施形態に係るリソース管理装置におけるリソース状態表現で用いる基本的表現要素の一例を説明するための図で、リソースの処理量及び処理率の表現例を示す図である。
【図２】本発明の一実施形態に係るリソース管理装置におけるリソース状態表現方法の一例を説明するための図で、複数のリソースの状態を各リソースに対して長方形の枠線内に表現した例を示す図である。
【図３】本発明の一実施形態に係るリソース管理装置の一構成例を示す図である。
【図４】図３のリソース管理装置における処理手順の一例を説明するための図であり、本発明の他の実施形態に係るリソース管理プログラム或いはリソース管理方法における処理手順の一例を説明するための図である。
【図５】本発明の一実施形態に係るリソース管理装置の他の構成例を示すブロック図であり、上述のリソース管理プログラムを格納し実行させることが可能な一般的な情報処理装置の一例を示す図である。
【図６】本発明の他の実施形態に係るリソース管理装置におけるリソース状態表現方法の一例を説明するための図であり、単位長さ当りの処理量換算パラメータ値を変更した例を示す図である。
【図７】本発明の他の実施形態に係るリソース管理装置におけるリソース状態表現方法の一例を説明するための図である。
【図８】本発明の他の実施形態に係るリソース管理装置におけるリソース状態表現方法の一例を説明するための図である。
【図９】ＨＤＤを有するデジタル複写機のリソース構成を示す図である。
【図１０】図９のデジタル複写機における画像データの流れを示す図である。
【図１１】図９のデジタル複写機を用いて４ページのＡ４原稿を３部ずつ複写する場合のタイミングチャートの一例を示す図である。
【図１２】図１１の各リソースに関する三角形をリソース欄内に表示した場合のタイミングチャートの一例を示す図である。
【図１３】図１２における４ページ目の原稿のみがＡ４からＡ６にサイズ変更された場合のタイミングチャートの一例を示す図である。
【図１４】図１３において４ページ目（Ａ６サイズ）のみ別のリソース欄に表現したタイミングチャートの一例を示す図である。
【図１５】図１４において縦方向（データ量に相当）の倍率を４倍した場合のタイミングチャートの一例を示す図である。
【符号の説明】
１０…リソース管理装置、１１…リソース状態情報入力部、１２…リソース状態表示部、１３…リソース状態情報処理部、１４…リソース状態情報記憶部、１５…インターフェース部（Ｉ／Ｆ部）、２０…リソース管理装置（コンピュータ装置）、２１…入力装置、２２…表示装置、２３…中央処理ユニット（ＣＰＵ）、２４…メモリ、２５…記憶装置、２６…媒体駆動装置、２７…ネットワーク接続装置、２８…バス。
【図１】
2004102905.tif 000003
【図２】
2004102905.tif 000004
【図３】
2004102905.tif 000005
【図４】
2004102905.tif 000006
【図５】
2004102905.tif 000007
【図６】
2004102905.tif 000008
【図７】
2004102905.tif 000009
【図８】
2004102905.tif 000010
【図９】
2004102905.tif 000011
【図１０】
2004102905.tif 000012
【図１１】
2004102905.tif 000013
【図１２】
2004102905.tif 000014
【図１３】
2004102905.tif 000015
【図１４】
2004102905.tif 000016
【図１５】
2004102905.tif 000017